(57)【要約】      （修正有）【課題】多数本のコイルバネを研磨する研磨方法において、コイルバネのセットを容易にし、研磨効率が向上するコイルバネ研磨方法及びその装置を提供する。【解決手段】コイルバネセット方法は、研磨盤に形成されている二以上の差込孔に差込み可能な親カラー５と、親カラーに形成されている二以上の親孔６に差込み可能な子カラー７を使用し、前記親孔内の夫々に子カラーを差込む工程と、前記子カラーの夫々の子孔１２にコイルバネ１をその両端又は一端が子カラーの両端に又は一端に突出するように差込んでセットする工程とを備える方法であり、前記セット方法により研磨盤にセットしたコイルバネを回転研磨具により研磨する方法であり、コイルバネ研磨装置は、研磨盤と回転研磨具を備えるものである。【選択図】図１
2008149381.tif 000002
【特許請求の範囲】
【請求項１】
回転研磨具によって研磨するコイルバネをその両端又は一端が研磨盤の差込孔から突出するように前記差込孔にセットするコイルバネセット方法において、前記研磨盤の二以上の差込孔に差込み可能な親カラーと、親カラーの二以上の親孔に差込可能な子カラーを使用し、前記親孔内の夫々に子カラーを差込む工程と、子カラーの子孔内の夫々にコイルバネをその両端又は一端が子孔の両端又は一端に突出するように差込んでセットする工程とを備え、それらカラーの上に磁石を宛がって子孔内のコイルバネを吸着して子孔内からのコイルバネの脱落を防止することを特徴とするコイルバネセット方法。
【請求項２】
請求項１記載のコイルバネセット方法により、親孔内に子カラーが差込まれ、その子カラーの子孔内にコイルバネが差込まれ、それら子カラーの上に磁石を宛がって子孔内のコイルバネを吸着して子孔内からのコイルバネの脱落を防止した親カラーを、研磨盤の二以上の差込孔の夫々に差込んで研磨盤に係止させ、子カラーの上から磁石を取り外し、研磨盤の回転により研磨盤にセットされた親カラーを回転研磨具の位置に搬送し、子孔内の両端又は一端から突出したコイルバネの両端又は一端を前記回転研磨具により研磨することを特徴とするコイルバネ研磨方法。
【請求項３】
回転研磨具により研磨するコイルバネの両端又は一端を研磨盤の差込孔から外側に突出させて前記差込孔に差込むコイルバネセット具において、前記研磨盤の二以上の差込孔の夫々に差込み可能な親カラーと、親カラーの二以上の親孔の夫々に差込み可能な子カラーと、それら子カラーの上に宛がう磁石とを備え、前記親カラーは子カラーを抜き差し可能な親孔が二以上と、研磨盤に係止して研磨盤の差込孔からの脱落を防止可能な親係止部が形成され、前記子カラーはコイルバネを抜き差し可能な子孔と、親カラーに係止して親カラーの親孔からの脱落を防止可能な子係止部が形成され、前記磁石はコイルバネがセットされた二以上の子カラーの上に宛がうと子孔内のコイルバネの端部を吸着可能なサイズであることを特徴とするコイルバネセット具。
【請求項４】
請求項３記載のコイルバネセット具の親カラーが差込まれる差込孔が二以上設けられた研磨盤と、親カラーの二以上の親孔の夫々に差込まれた子カラーの子孔内に両端又は一端が突出するように差込まれた二以上のコイルバネの前記端部を同時研磨する回転研磨具を備え、研磨盤は差込孔にセットされた親カラーを回転研磨具の位置に搬送可能であることを特徴とするコイルバネ研磨装置。
【発明の詳細な説明】
【技術分野】
【０００１】
本発明は金属製丸線材で形成されたコイルバネの両端面又は一端面を平らに研磨するに当たり、コイルバネを研磨盤にセットする方法と、セットしたコイルバネを研磨する方法と、コイルバネをセットする工具と、セットされたコイルバネを研磨する装置に関するものである。
【背景技術】
【０００２】
金属製丸線材で形成されたコイルバネは、用途によってコイルバネの両端面又は一端面が平面に研磨されることがある。従来、この研磨は図５に示すコイルバネ研磨装置を使用して行われている。図５のコイルバネ研磨装置はコイルバネＡを一個ずつターンテーブル式の研磨盤Ｂの差込孔Ｃに差込み、差込孔Ｃの上端と下端から突出したコイルバネＡの上端面と下端面を研磨盤Ｂの上下に配置されている回転研磨具Ｄによって研磨するものである。研磨盤Ｂにはその外周寄り位置に径の異なる差込孔Ｃが多数開口されており、それら差込孔Ｃのうち径の合う差込孔ＣにコイルバネＡを手作業で一本ずつ差込んでセットしていた。前記研磨盤Ｂは回転軸Ｅで間欠回転して差込孔ＣにセットされたコイルバネＡを間欠的に回転研磨具Ｄの下へ送り込むようになっている。
【発明の開示】
【発明が解決しようとする課題】
【０００３】
前記コイルバネ研磨方法及びコイルバネ研磨装置には次のような課題がある。
（１）コイルバネを研磨盤の個々の差込孔に一本ずつセットするため差込み効率が悪く、一日八時間稼動させても最大一万本のコイルバネまでしかセットすることができないのが現状である。このため、人件費がかかり、コスト高になる。
（２）通い箱などの容器内にバラで収容されているコイルバネは互いに絡まることがある。その場合は一本ずつ解きほぐしながらセットしなければならず更に作業効率が悪くなる。絡まりはピッチの粗いコイルバネの場合に特に著しい。
（３）研磨盤の差込孔が周方向に一列或いは数列しか開口されていないため、回転研磨具によりその列の研磨しかできず、研磨効率が悪い。研磨盤に多数の差込孔を開口しておけば前記課題は解決されるが、差込孔の数が多くなれば研磨中の差込作業が大変であり限度がある。
（４）図５のように研磨盤に径の異なる差込孔を複数列開口しておけば、それら差込み孔にセット可能なコイルバネを研磨することができるが、研磨盤に形成できる差込孔サイズには限度があるため、研磨盤に形成されていない差込孔サイズのコイルバネは研磨できない。
【課題を解決するための手段】
【０００４】
本発明は研磨盤へのコイルバネのセットを容易且つ迅速に行うことができ、多数本のコイルバネを一度に効率良く研磨できるようにしたものである。
【０００５】
本件出願のコイルバネセット方法は、請求項１記載のように、回転研磨具によって研磨するコイルバネをその両端又は一端が研磨盤の差込孔から突出するように前記差込孔にセットするコイルバネセット方法において、前記研磨盤の二以上の差込孔に差込み可能な親カラーと、親カラーの二以上の親孔に差込可能な子カラーを使用し、前記親孔内の夫々に子カラーを差込む工程と、子カラーの子孔内の夫々にコイルバネをその両端又は一端が子孔の両端又は一端に突出するように差込んでセットする工程とを備え、それらカラーの上に磁石を宛がって子孔内のコイルバネを吸着して子孔内からのコイルバネの脱落を防止する方法である。
【０００６】
本件出願のコイルバネ研磨方法は、請求項２記載のように、請求項１記載のコイルバネセット方法により、親孔内に子カラーが差込まれ、その子カラーの子孔内にコイルバネが差込まれ、それら子カラーの上に磁石を宛がって子孔内のコイルバネを吸着して子孔内からのコイルバネの脱落を防止した親カラーを、研磨盤の二以上の差込孔の夫々に差込んで研磨盤に係止させ、子カラーの上から磁石を取り外し、研磨盤の回転により研磨盤にセットされた親カラーを回転研磨具の位置に搬送し、子孔内の両端又は一端から突出したコイルバネの両端又は一端を前記回転研磨具により研磨する方法である。
【０００７】
本件出願のコイルバネセット具は、請求項３記載のように、回転研磨具により研磨するコイルバネの両端又は一端を研磨盤の差込孔から外側に突出させて前記差込孔に差込むコイルバネセット具において、前記研磨盤の二以上の差込孔の夫々に差込み可能な親カラーと、親カラーの二以上の親孔の夫々に差込み可能な子カラーと、それら子カラーの上に宛がう磁石とを備え、前記親カラーは子カラーを抜き差し可能な親孔が二以上と、研磨盤に係止して研磨盤の差込孔からの脱落を防止可能な親係止部が形成され、前記子カラーはコイルバネを抜き差し可能な子孔と、親カラーに係止して親カラーの親孔からの脱落を防止可能な子係止部が形成され、前記磁石はコイルバネがセットされた二以上の子カラーの上に宛がうと子孔内のコイルバネの端部を吸着可能なサイズとされたものである。
【０００８】
本件出願のコイルバネ研磨装置は、請求項４記載のように、請求項３記載のコイルバネセット具の親カラーが差込まれる差込孔が二以上設けられた研磨盤と、親カラーの二以上の親孔の夫々に差込まれた子カラーの子孔内に両端又は一端が突出するように差込まれた二以上のコイルバネの前記端部を同時研磨する回転研磨具を備え、研磨盤は差込孔にセットされた親カラーを回転研磨具の位置に搬送可能としたものである。
【発明の効果】
【０００９】
本件出願の請求項１記載のコイルバネセット方法は、次のような効果がある。
（１）親カラーの二以上の親孔の夫々に子カラーを差込み、子カラーの子孔内にコイルバネを差込んでセットしておき、その親カラーを研磨盤の差込孔に差込むので、予め、子孔内へのコイルバネの差込みを行なっておけば、研磨盤の差込孔へのコイルバネの差込みを多数のコイルバネが差込まれている親カラー単位で行うことができ、研磨盤の差込孔へのコイルバネの差込みを効率良く行なうことができ、人件費の節約、コストの大幅低減が可能となる。
（２）絡まっているコイルバネは子孔内への差込み時に個々に分離されるため、研磨盤の差込孔に差込む際に分離する必要はなく、研磨盤への親カラーのセット作業もし易くなる。
（３）内径の異なる子カラーを数種類用意しておけば、一つの親カラーにそれら子カラーを差替え使用可能となるため、サイズの異なる親カラーを各種用意する必要がなく、親カラーに要するコストが少なく済む。
（４）磁石で親カラーに差込まれた二以上の子カラーと子カラーの子孔内のコイルバネを吸着するので、手で親カラーを持てば親カラー内に子カラーがセットされ、子カラー内にコイルバネがセットされた状態を崩すことなく持ち上げて、親カラーを研磨盤の差込孔内にセットすることができ、セット後に磁石を取り外せば、子カラーが親カラー内に落ち着き、コイルバネの上下面が子カラーの子孔の上下に自動的に突出し、研磨可能となる。また、予め、下請け会社や内職者の自宅等の場所でコイルバネをセットした親カラーを多数準備しておき、それらを通い箱などに入れて研磨盤設置場所まで運搬しても前記セットが崩れず運搬が容易になる。
【００１０】
本件出願の請求項２記載のコイルバネ研磨方法は、次のような効果がある。
（１）子カラー、コイルバネが予めセットされている親カラーを研磨盤の差込孔に差込むため、効率の良いセットができる。
（２）一つの親カラーにセットされている多数のコイルバネを同時に研磨するので、研磨効率が向上する。
【００１１】
本件出願の請求項３記載のコイルバネセット具は、次のような効果がある。
（１）一種類の親カラーの親孔に、内径の異なる各種サイズの子カラーを差込んで使用できるため、一種類の親カラーと、内径の異なる各種サイズの子カラーを用意すれば、それらを使用して各種巻き径のコイルバネを研磨することができる。
（２）親カラーには研磨盤へ係止して研磨盤の差込孔からの脱落を防止可能な親係止部が形成され、子カラーには親カラーへ係止して親カラーからの脱落を防止可能な子係止部が形成されているので、子カラーは親カラーの親孔に差込むだけで、親カラーは研磨盤の差込孔に差込むだけで夫々係止されるため、それらのセットが容易となる。
（３）親カラーには子カラーをセット可能な親孔が二以上設けられているため、それら親孔に多数本の子カラーをセットして、子カラーの子孔に差込まれたコイルバネを同時に研磨することができ、研磨効率が向上する。
（４）磁石を備えているので、それを、二以上の子カラーの上に宛がうだけで子カラーの子孔内にセットされたコイルバネが吸着され、コイルバネが子孔から脱落することがなく、コイルバネ、子カラーの保持が確実になり、子カラーにコイルバネをセットしたコイルバネセットの持ち運びが容易になる。
【００１２】
本件出願の請求項４記載のコイルバネ研磨装置は、上記効果に加えて次の効果がある。
（１）親カラーが差込まれる差込孔が二以上設けられた研磨盤と、子カラーの子孔内に両端又は一端が突出するように差込まれたコイルバネの前記端部を同時研磨する回転研磨具を備えるので、親カラーにセットされた多数本のコイルバネの両端又は一端を一度に効率良く研磨することができる。
【発明を実施するための最良の形態】
【００１３】
（コイルバネセット方法の実施形態１）
本発明のコイルバネセット方法の実施形態の一例を図１〜図４に基づいて説明する。このコイルバネセット方法は図１に示すようなコイルバネ１の上下両端を回転研磨具２（図３、図４）で研磨する前に、コイルバネ１をその両端が研磨盤３の差込孔４の上下から突出するように研磨盤３の差込孔４にセットする方法である。この方法は図２、図３に示すように研磨盤３の外周縁３ａ寄り位置に周方向に一定間隔で形成されて上下に貫通している多数の差込孔４に差込み可能な親カラー５と、図１のように親カラー５に形成されている多数の親孔６に差込み可能な子カラー７と、子カラー７上に宛がう磁石８（図２）とを備えるコイルバネセット具（以下「セット具」とする。）１０を用いてコイルバネ１を研磨盤３へセットする方法である。
【００１４】
本発明で研磨するコイルバネ１は押しバネであっても引きバネであってもよいが、図１に示すコイルバネ１は押しバネであり、金属製丸線材をコイル状に巻いてある。本発明のコイルバネセット方法では、図１に示すようにテーブルや作業台の上に設置した親カラー５の親孔６の夫々に子カラー７を差込む。差込んだ子カラー７はその上端部外周に設けられた鍔（子係止部）１１によって親カラー５の上面に係止される。
【００１５】
子カラー７を全ての親カラー５の親孔６の夫々に差込んだら、図１、図２に示すように子カラー７の上下に貫通している子孔１２の夫々にコイルバネ１を差込み、その上に親カラー５の上面直径と同じ直径の円盤状の磁石８を設置して、夫々の子カラー７内のコイルバネ１の上端を吸着する。これにより図２に示すように作業者が親カラー５を把持して持ち上げてもコイルバネ１が子カラー７の子孔１２から脱落することなく持ち運び可能となる。磁石８を設置したまま親カラー５を手で持って子カラー７及びコイルバネ１を研磨盤３の設置場所まで運んで親カラー５を研磨盤３の差込孔４に差込んでセットする。このとき親カラー５は図３、図４に示すようにその上面外周に設けられた鍔（親係止部）１３によって研磨盤３の上面に係止される。差込まれた親カラー５の上面と下面は、夫々研磨盤３の上面及び下面から突出する。
【００１６】
セット具１０を研磨盤３の差込孔４に差込んでセットしたら、子カラー７の上の磁石８を取外す。この際、磁石８の取外しは、子カラー７内からコイルバネ１が抜けないよう、磁石８を横にスライドさせて行うことが望ましい。これにより図４に示すようにコイルバネ１は自重で落下して上下両端面が研磨盤３の上下両面から突出し、下端面は図３のように研磨盤３の下方に配置されている支持板１４によって脱落しないように支持される。この状態で研磨盤３を間欠回転させて、研磨盤３の上下に設けられた回転研磨具２によって親カラー５にセットされている全てのコイルバネ１の両端を同時に研磨することができる状態になる（図３、図４）。
【００１７】
（コイルバネセット方法の実施形態２）
前記実施形態１では先に子カラー７を親カラー５の親孔６に差込み、その子カラー７の子孔１２にコイルバネ１を差込むようにしてあるが、本発明のコイルバネセット方法では先に子カラー７の子孔１２にコイルバネ１を差込み、その子カラー７をコイルバネ１と共に親カラー５の親孔６に差込むことも可能である。
【００１８】
（コイルバネセット方法の実施形態３）
前記実施形態はコイルバネ１の両端を子孔１２から突出させる場合であるが、本発明のコイルバネセット方法は、コイルバネ１の一端のみ、例えば、上端のみ、或いは下端のみを研磨盤３の上面から上方に突出させることもできる。
【００１９】
（コイルバネ研磨方法の実施形態１）
本発明のコイルバネ研磨方法の実施形態の一例を図３、図４に基づいて説明する。このコイルバネ研磨方法は前記コイルバネセット方法により親カラー５の親孔６の上下に突出させたコイルバネ１の上下両端面を研磨する方法であり、図３、図４に示すように子カラー７、コイルバネ１がセットされた親カラー５を研磨盤３の差込孔４内に差込んで研磨盤３に係止させ、子孔１２から下方に突出したコイルバネ１の下端面を研磨盤３の差込孔４の下方に配置固定されている支持板１４によって支持して脱落しないようにし、研磨盤３が間欠回転して親カラー５が支持板１４のうち回転研磨具２の位置における研磨用開口部１４ａの位置に到来すると親カラー５の底面が研磨用開口部１４ａからその下方に露出して、親カラー５の底面から下方に突出するコイルバネ１の下端面が回転研磨具２の上に乗り移り、親カラー５にセットされている全てのコイルバネ１が同時に回転研磨具２で研磨されるようにしてある。研磨終了後に研磨盤３が回転を再開すると研磨済みのコイルバネ１は支持板１４の上に乗り移って下方に落下しないように支持される。その後の間欠回転により研磨済みコイルバネ１がセットされている親カラー５が支持板１４の排出用開口部１５の位置に到来すると、親カラー５の底面が排出用開口部１５からその下方に露出し、親カラー５にセットされている研磨済みコイルバネ１が図３のように研磨盤３の下方に排出されるようにしてある。前記研磨用開口部１４ａ、排出用開口部１５は親カラー５の差込み下部と同じ大きさの径の孔であってもよく、支持板１４の外周縁に開口する円弧状の切り欠き等であっても良い。
【００２０】
前記親カラー５にセットされたコイルバネ１が上下の回転研磨具２の間に入り込んだら図４に示すように回転研磨具２の回転によってそれらコイルバネ１（図３では７本）の上下両端面を同時に研磨して平面にする。回転研磨具２は常時回転させておくことも、コイルバネ１が回転研磨具２間に入り込むときは停止させておき、入り込み完了後に回転させることもできる。
【００２１】
研磨済みのコイルバネ１は研磨盤の間欠回転により親カラー５ごと回転研磨具２の間から外に送り出される。このとき、親カラー５にセットされている研磨済みのコイルバネ１の下端面は再び支持板１４の上に乗り移る。さらに研磨盤３が間欠回転して、親カラー５が支持板１４の排出用開口部１５上で停止すると、図３に示すように研磨済みのコイルバネ１は自重で下方へ脱落して研磨盤３から排出される。
【００２２】
コイルバネ１が排出されて空になった親カラー５を研磨盤３から抜き取って、その抜き跡の差込孔４にコイルバネ１がセットされている親カラー５を差込めば、次から次へと回転研磨具２の下に送り込まれる親カラー５内のコイルバネ１が同時に研磨される。
【００２３】
（コイルバネ研磨方法のその他の実施形態）
本発明のコイルバネ研磨方法において、回転研磨具２が一度に研磨するコイルバネ１の本数は、前記実施形態１のような７本ずつに限られず、親カラー５の親孔６の数を変えることによってそれ以上の本数或いはそれよりも少ない本数ずつ研磨とすることもできる。本発明のコイルバネ研磨方法で研磨するのはコイルバネ１の両端面に限らず上下いずれか一端面のみとすることもできる。
【００２４】
（コイルバネセット具の実施形態１）
本発明のコイルバネセット具の実施形態の一例を図１〜図４に基づいて説明する。このコイルバネセット具１０は回転研磨具２により研磨するコイルバネ１の両端を研磨盤３から外側に突出させて研磨盤３にセットするものであり、研磨盤３の上下に貫通開口されている多数の差込孔４の夫々に差込み可能な親カラー５と、その親カラー５に形成されている親孔６の夫々に差込可能な子カラー７と、コイルバネ１をセットした子カラー７の上にコイルバネ１の上から宛がうことのできる磁石８とを備えるものである。
【００２５】
前記親カラー５は樹脂製であって、図１、図２に示すように研磨盤３の差込孔４にセット可能な親筒部５ａの上部外周にそれと一体に鍔（親係止部）１３が成型されており、親筒部５ａの上面からその底面まで貫通する親孔６が７つ開口されている。上板５ｂは親筒部５ａよりも直径を大きくしてその外周部分に親筒部５ａよりも外側に突出する鍔（親係止部）１３が形成され、その親係止部１３は親筒部５ａを研磨盤３の差込孔４に差込むと差込孔４の外周上縁に係止して差込孔４から抜け落ちないようにしてあり、この係止時には図４のように親カラー５の上面及び下面が研磨盤３の上面及び下面から夫々突出するようにしてある。親孔６は子カラー７を抜き差し可能な内径にしてある。
【００２６】
前記子カラー７は金属製であって、図１、図２に示すように親カラー５の親孔６に差込み可能な円筒形の子筒部７ａの上部外周にそれと一体にリング状の鍔（子係止部）１１を備え、子筒部７ａの上面から底面まで貫通する子孔１２が開口されている。子孔１２の径はその内部にコイルバネ１を差込み可能なサイズにしてある。この子カラー７は親カラー５の親孔６に差込むと子係止部１１が親カラー５の上面に係止されて脱落しないようにセットされ、子カラー７の上面及び下面が図４のように親カラー５の上面及び下面から夫々突出するようにしてある。また、子カラー７の子孔１２の長さ（深さ）はコイルバネ１を差込むとその上端面と下端面が子カラー７の上下端より夫々突出するようにしてある。
【００２７】
前記磁石８は円盤状であり、図２に示すように子カラー７にセットされたコイルバネ１の上から子カラー７の上に宛がうと、子カラー７にセットされている数本のコイルバネ１の上端部を吸着してコイルバネ１が子孔１２から脱落しないようにするものであり、その吸着時に親カラー５を図２に示すように作業者が把持して持ち上げて、図３、図４に示すように研磨盤３の差込孔４に差込んでセットすることが可能となる。この場合、コイルバネ１の上下端が研磨盤３の上下面から夫々上下に突出して研磨盤３にセットされる。磁石８は図に示す板状のものには限らず任意形状とすることができる。
【００２８】
（コイルバネセット具の実施形態２）
本発明のセット具１０における親カラー５の親孔６の数、その径、子カラー７の径、長さ等は前記実施形態以外の数、径、長さ等とすることができる。前記実施形態の親係止部１３、子係止部１１は鍔状であるが、それらの形状は前記した鍔状には限られず、子カラー７及び親カラー５を係止可能であれば任意の形状とすることができる。
【００２９】
（コイルバネ研磨装置の実施形態１）
本発明のコイルバネ研磨装置の実施形態の一例を、図３、図４に基づいて説明する。このコイルバネ研磨装置は、前記セット具１０により研磨盤３に両端を突出させてセットしたコイルバネ１の両端を研磨する装置であり、図３に示すように回転軸１８を中心に図中矢印Ａ方向に間欠回転可能なターンテーブル式の研磨盤３と、回転研磨具２と、研磨盤３の下方に配置された支持板１４を備えている。前記研磨盤３には親カラー５が差込まれる差込孔４が周方向に一定間隔で多数開口されている。前記回転研磨具２は親カラー５の親孔６に差込まれた子カラー７の子孔１２から突出するコイルバネ１の両端を同時研磨できるように研磨盤３の上下に対向配置されている。回転研磨具２には砥石、バフ等の任意の研磨具が使用可能である。前記支持板１４は研磨盤３で移送中のコイルバネ１の脱落を防止するものである。研磨盤３は可能であれば連続回転させることもできる。前記回転研磨具２には砥石、バフ等の任意の研磨具が使用可能である。
【００３０】
前記支持板１４は図３に示すように研磨盤３の下方に備えられた板材であって、研磨盤３の差込孔４にセットしたセット具１０の子カラー７の子孔１２内からコイルバネ１が脱落しないようにコイルバネ１の下端面を支持するものである。支持板１４は回転研磨具２の部分に円弧状の研磨用開口部１４ａ（図３）が形成されており、研磨盤３の回転によりそれにセットされている研磨前のコイルバネ１がその研磨用開口部１４ａまで搬送されてくると、コイルバネ１が支持板１４の上から下の回転研磨具２上に乗り移るようにしてある。また、支持板１４のうち、回転研磨具２の先方位置には円弧状の排出用開口部１５が開口されており、研磨盤３の回転によりそれに研磨済みのコイルバネ１がその排出用開口部１５まで搬送されてくると、コイルバネ１が排出用開口部１５から自重で落下して支持板１４から自走的に排出されるようにしてある。
【産業上の利用可能性】
【００３１】
本発明のコイルバネセット方法、コイルバネセット具、コイルバネ研磨方法、コイルバネ研磨装置はコイルバネの研磨に限られず、研磨の必要がある筒状、棒状などの細長部材とか他の形状の部材の研磨にも利用することもできる。
【図面の簡単な説明】
【００３２】
【図１】本発明のコイルバネセット具の実施形態の一例を示す分解斜視図。
【図２】図１に示すコイルバネセット具を示す斜視説明図。
【図３】本発明のコイルバネ研磨装置の一例を示す斜視説明図。
【図４】図３に示すコイルバネ研磨装置でコイルバネの両端を研磨する様子を示す正面説明図。
【図５】（ａ）（ｂ）は従来のコイルバネ研磨装置を示す説明図であって、（ａ）は研磨盤を示す斜視説明図、（ｂ）はコイルバネの両端を研磨する様子を示す正面説明図。
【符号の説明】
【００３３】
１  コイルバネ
２  回転研磨具
３  研磨盤
４  差込孔
５  親カラー
６  親孔
７  子カラー
８  磁石
１０  セット具
１１  子係止部
１２  子孔
１３  親係止部
１４  支持板
１４ａ  研磨用開口部
１５  排出用開口部
【図１】
2008149381.tif 000003
【図２】
2008149381.tif 000004
【図３】
2008149381.tif 000005
【図４】
2008149381.tif 000006
【図５】
2008149381.tif 000007